(57)【要約】【課題】面型ボタンを筐体の任意位置に容易に取り付けできるインターホンの面型ボタン取付構造を提供する。【解決手段】モニタボタン３の１側辺に係止片９を設け、上筐体１のモニタボタン装着凹部７の端部に挿入凹部１０を設けて双方を係止させてモニタボタン３の回動軸部とした。そして、上筐体１にはモニタボタン３を係止する係止爪１２ａを有する係止部材１２を設けると共に、モニタボタン３背面には係止爪１２ａを挿入係止する舌部材１３を設けて、モニタボタン３を回動操作することで係止部材１２に舌部材１３を係止させて上筐体１に取り付け可能とした。更にモニタボタン装着凹部７の底面７ａにガタツキ防止爪１５を設けると共に、モニタボタン３の背面にガタツキ防止  爪１５を受ける爪受け１６を設けた。【選択図】  図３
2004282627.tif 000002
【特許請求の範囲】
【請求項１】
インターホンのケース前面にモニタボタン、通話ボタン等の面型ボタンを取り付けるインターホンの面型ボタン取付構造であって、
前記ケース或いは前記面型ボタンの１辺の何れか一方に、前記面型ボタンを回動させるための回動軸を設けると共に他方には軸受けを設け、また前記ケースには前記面型ボタンを係止するための係止爪を備えた係止部材を設けると共に前記面型ボタン背面には前記係止爪を挿入係止する舌部材を設け、
前記面型ボタンの一辺を回動中心としてケース前面で回動させて、前記係止部材に前記舌部材を前後方向に遊びを有するよう係止させることで、前記面型ボタンを押下操作可能に前記ケースに取り付けることを特徴とするインターホンの面型ボタン取付構造。
【請求項２】
前記ケース或いは前記面型ボタンの何れか一方に、ガタツキ防止爪を設けると共に、他方に前記ガタツキ防止爪を少なくとも前記回動軸に直交する方向から狭持して受ける爪受けを備え、前記面型ボタンの前記ケースに対するガタツキを防止することを特徴とする請求項１記載のインターホンの面型ボタン取付構造。
【請求個３】前記ガタツキ防止爪は前記ケース前後方向に弾性を有し、前記爪受けに当接することで前記面型ボタンを常時前方へ付勢することを特徴とする請求項２記載の面型ボタン取付構造。
【発明の詳細な説明】
【０００１】
【発明の属する技術分野】
本発明は、インターホンの面型ボタン取付構造に係わり、詳しくはインターホンケースのボタン装着位置前方から取り付ける構造のインターホンの面型ボタン取付構造に関する。
【０００２】
【従来の技術】
インターホンは、玄関等に設置される玄関子機と居室に設置されるインターホン親機とから構成され、インターホン親機には玄関子機との間で通話をするための通話ボタンの他、玄関子機に訪問者を撮像するカメラが備えられたものは、訪問者をモニタに映し出すためのモニタボタンが設けられている。
このような、通話ボタンやモニタボタンは、操作し易いように操作面の大きな面型ボタンと称されるスイッチボタンが広く使用され、例えば特許文献１に示す構造のものが知られている。これは、上筐体、下筐体からなるインターホン親機のケースの上筐体に取り外し可能なパネルを設けて、そのパネルに面型ボタンを取り付けていた。
【０００３】
【特許文献１】
特開２００２−６４６０６号公報
【０００４】
【発明が解決しようとする課題】
ところが、上記従来のインターホンの面型ボタン取付構造は、側方からスライド挿入して取り付ける構造であり、面型ボタンをパネルに取り付けた後、パネルを上筐体に装着して面型ボタンをケースに取り付ける上記形態の場合は、この構造で良好に面型ボタンを取り付けできたが、パネルを介さず直接ケースに面型ボタンを取り付ける形態の場合、ケース縁部に面型ボタンを設けたデザインならともかく、上記スライド挿入する取付構造を採用するのは難しく、ケースの任意位置に容易に面型ボタンを取り付けできる構造が望まれていた。
そこで、本発明は上記問題点に鑑み、面型ボタンを筐体の任意位置に容易に取り付けできるインターホンの面型ボタン取付構造を提供することを目的とする。
【０００５】
【課題を解決するための手段】
上記課題を解決するため、請求項１の発明は、インターホンのケース前面にモニタボタン、通話ボタン等の面型ボタンを取り付けるインターホンの面型ボタン取付構造であって、ケース或いは面型ボタンの１辺の何れか一方に、面型ボタンを回動させるための回動軸を設けると共に他方には軸受けを設け、またケースには面型ボタンを係止するための係止爪を備えた係止部材を設けると共に面型ボタン背面には係止爪を挿入係止する舌部材を設け、面型ボタンの一辺を回動中心としてケース前面で回動させて、係止部材に舌部材を前後方向に遊びを有するよう係止させることで、面型ボタンを押下操作可能にケースに取り付けることを特徴とする。
このインターホンの面型ボタン取付構造によれば、面型ボタンの１辺を回動中心として回転してケース前面に取り付けできるので、側方からスライド挿入できない形状であっても面型ボタンを容易に取り付けできる。
【０００６】
請求項２の発明は、請求項１の発明において、ケース或いは面型ボタンの何れか一方に、ガタツキ防止爪を設けると共に、他方にガタツキ防止爪を少なくとも回動軸に直交する方向から狭持して受ける爪受けを備え、面型ボタンのケースに対するガタツキを防止することを特徴とする。
このようにガタツキ防止爪と爪受けを設けることで、少なくとも左右方向のガタツキを防止することができ、面型ボタン取付構造の品質を向上させることができる。
【０００７】
請求項３の発明は、請求項２の発明において、ガタツキ防止爪はケース前後方向に弾性を有し、爪受けに当接することで面型ボタンを常時前方へ付勢することを特徴とする。
このインターホンの面型ボタン取付構造によれば、ガタツキ防止爪の弾性作用で、ボタン操作方向のガタツキも防止でき、面型ボタン取付構造の品質を更に上げることができる。
【０００８】
【発明の実施の形態】
以下、本発明を具体化した実施の形態を、図面に基づいて詳細に説明する。図１，図２は、本発明に係るインターホンの面型ボタン取付構造を採用したインターホン親機の正面図であり、図１は面型ボタンを取り付けた状態、図２は面型ボタンを外した状態を示している。また、図３は本発明の面型ボタンの取付構造を説明するための断面図である。尚、図２においてハッチング部は貫通形成された隙間を示している。
【０００９】
図において、１はインターホン親機ケースの一部である上筐体、２は玄関子機（図示せず）に設けたカメラの画像を出画するモニタ、３は面型ボタンから成りモニタ２の出画操作をするモニタボタン、４は面型ボタンから成り玄関子機との間で通話操作をする通話ボタン、５はケースの一部である下筐体、６は回路基盤、７はモニタボタン装着凹部であり、図示するように、モニタボタン３は上筐体１の前面の内側に設けられ、通話ボタン４は上筐体１の前面端部に設けられている。また、上筐体１、下筐体５は共に合成樹脂により形成され、双方でインターホン親機のケースを構成している。
そして、モニタボタン３と通話ボタン４の２つの面型ボタンのうち、モニタボタン３の取付構造に本発明の構造が採用されている。
【００１０】
そこで、モニタボタン３の取付構造を図３を基に説明する。図３は、図２のＡ−Ａ線断面図にモニタボタン３を加えた図であり、（ａ）はモニタボタン３を取り付ける途中の状態を示し、（ｂ）はモニタボタン３を取り付けた状態を示している。図３に示すように、モニタボタン３の図示左辺には略Ｌ字状に形成された係止片９が複数箇所に突設され、上筐体１のモニタボタン装着凹部７内の対応する端部には係止片９を挿入する挿入凹部１０が形成されている。そして、この係止片９を回動軸、挿入凹部１０を軸受けとして作用させることで、モニタボタン３の一端をモニタボタン装着凹部７に係止させた状態で回動操作可能に形成されている。
【００１１】
また、モニタボタン装着凹部７内には係止部材１２が設けられ、モニタボタン３の背面には、係止部材１２に係止する舌部材１３が設けられている。係止部材１２は、モニタボタン装着凹部７の底面７ａから起立形成され、左右方向に弾性を有するよう左右方向に薄く形成されて、先端側部に係止爪１２ａが形成されている。舌部材１３は、後方に向けて起立形成され、係止爪１２ａを挿入係止する係止凹部１３ａが略中央に穿設され、モニタボタン３取り付け時の回動押し込み操作で容易に係止爪１２ａは係止凹部１３ａに係止する。
但し、係止凹部１３ａはモニタボタン３の前後動に対して遊びを持たせて前後方向に長く形成され、モニタボタン３のスイッチ操作（押下操作）が可能となっている。また、係止部材１２と舌部材１３の組は、図２に示すように２組設けられているが、この数は面型ボタンの大きさに応じて決定すればよい。
【００１２】
上筐体１のモニタボタン装着凹部７と面型ボタンであるモニタボタン３をこのように形成することで、係止片９を挿入凹部１０に係止して、即ち面型ボタンの一辺を上筐体１のモニタボタン装着凹部７の一端に係止して、係止片９を回動軸として回動操作することで、係止部材１２に舌部材１３が係止され、前方からの取付操作で容易に取り付けることができる。
尚、この実施形態では、係止部材１２に弾性を持たせているが、舌部材１３に弾性を持たせても良いし、双方に弾性を持たせても良い。また、係止片９、挿入凹部１０は上筐体１とモニタボタン３の間で逆に設けても良い。
【００１３】
また、モニタボタン装着凹部７には、装着したモニタボタン３のガタツキを防止するためのガタツキ防止爪１５が設けられている。このガタツキ防止爪１５は、挿入凹部１０が設けられているモニタボタン装着凹部７の左端部から右方向に伸びた弾性部を有し、その先端に後方に折り曲げた後に前方に伸びたＵ字形状の爪部が形成されている。この先端がモニタボタン３に当接するよう形成され、前後方向、即ちモニタボタン３の操作方向に弾性を有するよう形成されている。そして、モニタボタン３の対応する背面には、ガタツキ防止爪１５の先端をモニタボタン３の回動軸に直交する左右から狭持すると共に後方へ押圧する爪受け１６が設けられている。
このガタツキ防止爪１５と爪受け１６により、取り付けたモニタボタン３の左右のガタツキを防止すると共に、前後方向のガタツキを防止している。尚、爪受け１６はガタツキ防止爪１５の先端周囲を囲むように形成し、左右と共に上下のガタツキを防止するように形成しても良い。
【００１４】
図４はモニタボタン３と回路基盤６に設けられたモニタスイッチ１７の関係を示した図であり、図２のＢ−Ｂ線断面にモニタボタン３を加えた図である。図４に示すように、ケース内には回路基盤６にモニタスイッチ１７が実装され、モニタボタン装着凹部７の背部にはモニタスイッチ１７を押下操作するための操作部材１９が棒状に設けられている。
操作部材１９は、図２に示すように周囲に長い切り込み２０を設けて弾性を有するよう形成された舌片２１の先端に形成され、この操作部材１９に対応するモニタボタン３背面には、リブ２２が形成され、モニタボタン３の押圧操作により、リブ２２が操作部材１９を押下し、押下した操作部材１９によりモニタスイッチ１７は操作される。
この操作は舌片２１の弾性作用により容易に行うことができ、操作後は舌片２１の復元力及びガタツキ防止爪１５の復元力でモニタボタン３は元の状態に戻る。こうして、ボタン操作をスムーズに行うことができる。
【００１５】
このように、面型ボタンの１辺を回動中心として回転して筐体に取り付けできるので、構造上側方からスライド挿入できない構成であっても面型ボタンを容易に取り付けできる。
また、ガタツキ防止爪と爪受けにより、少なくとも左右方向のガタツキを防止することができ、面型ボタン取付構造の品質を向上させることができるし、ガタツキ防止爪の弾性作用で、ボタン操作方向のガタツキも防止でき、面型ボタン取付構造の品質を更に上げることができる。
【００１６】
尚、上記実施形態では、モニタボタンに係止片９を設けて回動軸とし、上筐体１に挿入凹部１０を形成して軸受けとしたが、係止片先端に回動軸となる軸棒を設けると共に対応する挿入凹部内に軸棒を受ける断面Ｕ字状の軸受けを形成して、回動操作がスムーズに実施されるようにしても良い。また、実施形態とは逆にケース前面に係止片を設けて、モニタボタンに挿入凹部を形成しても同様のモニタボタンの回動軸部を構成できる。
更に、通話ボタンはケース端部に形成されているため、下方からスライド挿入して取り付ける従来の構成の面型スイッチが使用されているが、モニタボタン３と同様に本発明の構造としても良い。
【００１７】
【発明の効果】
以上詳述したように、本発明によれば、面型ボタンの１辺を回動中心として回転操作するだけでケースに取り付けできるので、構造上側方からスライド挿入できない形状であっても面型ボタンを容易に取り付けできる。
また、ガタツキ防止爪と爪受けを設けることで、少なくとも左右方向のガタツキを防止することができ、面型ボタン取付構造の品質を向上させることができるし、ガタツキ防止爪に弾性を持たせることで、ボタン操作方向のガタツキも防止でき、面型ボタン取付構造の品質を更に上げることができる。
【図面の簡単な説明】
【図１】本発明に係るインターホンの面型ボタン取付構造を採用したインターホン親機の正面図である。
【図２】図１においてモニタボタンを外した状態の図である。
【図３】Ａ−Ａ線断面図で示した本発明のモニタボタンの取付構造であり、（ａ）はモニタボタンを取り付ける途中の状態、（ｂ）はモニタボタンを取り付けた状態を示している。
【図４】Ｂ−Ｂ線断面図で示したモニタボタン取付構造であり、モニタボタンを取り付けた状態を示している。
【符号の説明】
１・・上筐体、２・・モニタ、３・・モニタボタン（面型ボタン）、４・・通話ボタン、５・・下筐体、７・・モニタボタン装着凹部、９・・係止片（回動軸）、１０・・挿入凹部（軸受け）、１２・・係止部材、１２ａ・・係止爪、１３・・舌部材、１３ａ・・係止凹部、１５・・ガタツキ防止爪、１６・・爪受け。
【図１】
2004282627.tif 000003
【図２】
2004282627.tif 000004
【図３】
2004282627.tif 000005
【図４】
2004282627.tif 000006